(57)【特許請求の範囲】
【請求項１】
コンテンツデータを再生可能な再生手段に接続されるコンテンツ再生装置であって、
コンテンツデータが格納される記憶手段と、
前記記憶手段に格納されたコンテンツデータから所定の抽出条件を満たす条件充足コンテンツデータを抽出し、該抽出した条件充足コンテンツデータを特定可能な情報を前記記憶手段に格納する抽出手段と、
前記記憶手段に格納されたコンテンツデータを、前記条件充足コンテンツデータ単位で前記再生手段に再生させる再生制御手段と、
前記再生制御手段により再生されていない未再生の条件充足コンテンツデータが存在するか否かを判定し、該未再生の条件充足コンテンツデータが存在する場合に、該未再生の条件充足コンテンツデータに関して通知手段に通知させる通知制御手段と、
を備え、
前記コンテンツデータは、撮影された画像データであり、
前記所定の抽出条件は、前記画像データの撮影された時期に関する条件である、
コンテンツ再生装置。
【請求項２】
前記通知制御手段は、前記未再生の条件充足コンテンツデータのうち、前記所定の抽出条件に対応した提示期間に該当する未再生の条件充足コンテンツデータが存在するか否かを判定し、該提示期間に該当する未再生の条件充足コンテンツデータが存在する場合に、該提示期間に該当する未再生の条件充足コンテンツデータに関して前記通知手段に通知させる手段である、
請求項１記載のコンテンツ再生装置。
【請求項３】
前記通知手段は表示手段であり、
前記通知制御手段は、前記未再生の条件充足コンテンツデータが存在する場合に、前記未再生の条件充足コンテンツデータの再生を開始させるための画像領域を前記表示手段に表示させる手段である、
請求項１又は２記載のコンテンツ再生装置。
【請求項４】
前記通知制御手段は、前記未再生の条件充足コンテンツデータの数に上限を設定し、該上限以内の未再生の条件充足コンテンツデータの一部に関する画像領域を前記表示手段に表示させ、スクロール操作によって前記上限以内の未再生の条件充足コンテンツデータの全てをユーザに閲覧可能とすることを特徴とする、
請求項３記載のコンテンツ再生装置。
【請求項５】
前記再生手段は表示手段であり、
前記再生制御手段は、前記条件充足コンテンツデータをスライドショーの形式で前記表示手段に表示させると共に、該スライドショーの各ページにおいて、前記所定の抽出条件よりも狭い時期に関する条件で抽出された画像を前記表示手段に表示させることを特徴とする、
請求項１ないし４のいずれか１項記載のコンテンツ再生装置。
【請求項６】
前記所定の抽出条件よりも狭い時期に関する条件は、時期的に近い画像が同じページで表示されるように設定された条件である、
請求項５記載のコンテンツ再生装置。
【請求項７】
前記再生制御手段は、前記スライドショーの各ページにおいて、前記所定の抽出条件よりも狭い時期に関する条件で抽出された画像のうち、前記所定の抽出条件に対応した抜粋規則で抜粋した画像を前記表示手段に表示させることを特徴とする、
請求項５又は６記載のコンテンツ再生装置。
【請求項８】
コンテンツデータを再生可能な再生手段に接続されたコンピュータに、
記憶手段に格納されたコンテンツデータから所定の抽出条件を満たす条件充足コンテンツデータを抽出し、該抽出した条件充足コンテンツデータを特定可能な情報を前記記憶手段に格納させ、
前記記憶手段に格納されたコンテンツデータを、前記条件充足コンテンツデータ単位で前記再生手段に再生させ、
前記再生させる処理によって再生されていない未再生の条件充足コンテンツデータが存在するか否かを判定し、該未再生の条件充足コンテンツデータが存在する場合に、該未再生の条件充足コンテンツデータに関して通知手段に通知させ、
前記コンテンツデータは、撮影された画像データであり、
前記所定の抽出条件は、前記画像データの撮影された時期に関する条件である、
ことを特徴とする、コンテンツ再生プログラム。
【請求項９】
コンテンツデータを再生可能な再生手段に接続されたコンピュータが、
記憶手段に格納されたコンテンツデータから所定の抽出条件を満たす条件充足コンテンツデータを抽出し、該抽出した条件充足コンテンツデータを特定可能な情報を前記記憶手段に格納し、
前記記憶手段に格納されたコンテンツデータを、前記条件充足コンテンツデータ単位で前記再生手段に再生させ、
前記再生させる処理によって再生されていない未再生の条件充足コンテンツデータが存在するか否かを判定し、該未再生の条件充足コンテンツデータが存在する場合に、該未再生の条件充足コンテンツデータに関して通知手段に通知させ、
前記コンテンツデータは、撮影された画像データであり、
前記所定の抽出条件は、前記画像データの撮影された時期に関する条件である、
ことを特徴とする、コンテンツ再生方法。
【発明の詳細な説明】
【技術分野】
【０００１】
本発明は、コンテンツ再生装置、コンテンツ再生プログラム、及びコンテンツ再生方法に関する。
【背景技術】
【０００２】
従来、日時情報が付加されているコンテンツデータから、予め決められる時間的な基準に基づいて１以上のコンテンツデータを抽出し、抽出された１以上のコンテンツデータを再生するコンテンツ再生装置が知られている（例えば、特許文献１参照）。この装置では、表示画面を区分し、その一つに、データベースに格納されているコンテンツのうち、複数年に亘る特定月日のデータ、或いは特定年のデータを指定してスライドショー表示している。
【先行技術文献】
【特許文献】
【０００３】
【特許文献１】特開２００９−２７１２２４号公報
【発明の概要】
【発明が解決しようとする課題】
【０００４】
しかしながら、上記従来の装置では、ＬＣＤの表示画面に表示される実行可能な機能を選択項目とするメニューから、目的とする「思い出フレーム」がパネル操作部を通じてユーザによって選択された場合にコンテンツの再生が実行される。すなわち、コンテンツデータの再生に関してはユーザの自発的操作に委ねられており、ユーザにコンテンツ再生の機会を積極的に提供することができない。
【０００５】
一つの側面では、本発明は、ユーザにコンテンツ再生の機会を積極的に提供することを目的とする。
【課題を解決するための手段】
【０００６】
上記目的を達成するための一態様は、
コンテンツデータを再生可能な再生手段に接続されるコンテンツ再生装置であって、
コンテンツデータが格納される記憶手段と、
前記記憶手段に格納されたコンテンツデータから所定の抽出条件を満たす条件充足コンテンツデータを抽出し、該抽出した条件充足コンテンツデータを特定可能な情報を前記記憶手段に格納する抽出手段と、
前記記憶手段に格納されたコンテンツデータを、前記条件充足コンテンツデータ単位で前記再生手段に再生させる再生制御手段と、
前記再生制御手段により再生されていない未再生の条件充足コンテンツデータが存在するか否かを判定し、該未再生の条件充足コンテンツデータが存在する場合に、該未再生の条件充足コンテンツデータに関して通知手段に通知させる通知制御手段と、
を備え、
前記コンテンツデータは、撮影された画像データであり、
前記所定の抽出条件は、前記画像データの撮影された時期に関する条件である、
コンテンツ再生装置である。
【発明の効果】
【０００７】
一実施態様によれば、ユーザにコンテンツ再生の機会を積極的に提供することができる。
【図面の簡単な説明】
【０００８】
【図１】本発明の一実施例に係るコンテンツ再生装置１のハードウエア構成例である。
【図２】コンテンツ再生装置１の論理構成例である。
【図３】本実施例のコンテンツ再生装置１により実行される全体処理の流れを簡単に示すフローチャートの一例である。
【図４】画像データベース１４Ａとして格納されるデータの一例である。
【図５】再生リスト一覧１４Ｂとして格納されるデータの一例である。
【図６】再生リスト名毎の抽出条件と提示期間を規定したＸＭＬファイルを二つ例示した図である。
【図７】再生リスト一覧１４Ｂが新規に作成、或いは更新される際の処理の流れを示すフローチャートの一例である。
【図８】通知制御部１４Ｂにより実行される処理の流れを示すフローチャートの一例である。
【図９】モニター４０のデスクトップ画面上にチケット４０Ａが表示される様子を示す図である。
【図１０】モニター４０のデスクトップ画面上にチケット４０Ａが表示される様子を示す図である。
【図１１】通知制御部１４Ｂにより実行されるチケット画像更新処理の流れを示すフローチャートの一例である。
【図１２】再生リスト選択受付部１０Ｃにより実行される処理の流れを示すフローチャートの一例である。
【図１３】表示レイアウト情報１４Ｃの一例である。
【図１４】抜粋処理・再生制御部１０Ｄにより実行される処理の流れを示すフローチャートの一例である。
【図１５】画像の抜粋方法が「ランダム」の場合に抜粋処理・再生制御部１０Ｄにより実行される処理の流れを示すフローチャートの一例である。
【図１６】画像の抜粋方法が「一定間隔の抜粋」の場合に抜粋処理・再生制御部１０Ｄにより実行される処理の流れを示すフローチャートの一例である。
【図１７】画像の抜粋方法が「保存されている画像の数が多い日から優先して抜粋」の場合に抜粋処理・再生制御部１０Ｄにより実行される処理の流れを示すフローチャートの一例である。
【発明を実施するための形態】
【０００９】
以下、本発明を実施するための形態について、添付図面を参照しながら実施例を挙げて説明する。
【実施例】
【００１０】
以下、図面を参照し、本発明の一実施例に係るコンテンツ再生装置、コンテンツ再生プログラム、及びコンテンツ再生方法について説明する。
【００１１】
［ハードウエア構成］
図１は、本発明の一実施例に係るコンテンツ再生装置１のハードウエア構成例である。コンテンツ再生装置１は、例えば、ＣＰＵ１０と、ＲＡＭ１２と、ＨＤＤ（Hard  Disk  Drive）１４と、を備える。また、コンテンツ再生装置１は、グラフィックインターフェース２０と、入力インターフェース２２と、シリアルバスインターフェース２４と、メモリカードスロット２６と、光学ドライブ装置２８と、通信インターフェース３０と、を備える。
【００１２】
なお、係る構成は一例であり、コンテンツ再生装置１は、フラッシュメモリやＥＥＰＲＯＭ（Electrically  Erasable  and  Programmable  Read  Only  Memory）、ＲＯＭ（Read  Only  Memory）等の記憶装置を備えてもよい。また、コンテンツ再生装置１は、ＵＳＢ（Universal  Serial  Bus）コネクタを備え、ＵＳＢメモリ等の記憶媒体を装着可能としてもよい。
【００１３】
ＣＰＵ１０は、例えば、プログラムカウンタや命令デコーダ、各種演算器、ＬＳＵ（Load  Store  Unit）、汎用レジスタ等を有する演算処理装置としてのプロセッサである。ＲＡＭ１２は、ワーキングメモリとして機能し、ＣＰＵ１０により実行されるプログラムがＨＤＤ１４から展開されたり、プログラムの実行結果が一時的に格納されたりする。
【００１４】
ＨＤＤ１４には、ＣＰＵ１０により実行される各種プログラムの他、画像データベース１４Ａ、再生リスト一覧１４Ｂ、表示レイアウト情報１４Ｃ、作成・更新再生リスト名１４Ｄ、通知リスト１４Ｅ等のデータが格納される。
【００１５】
コンテンツ再生装置１には、モニター４０、キーボード４２、マウス４４等の周辺機器が接続される。グラフィックインターフェース２０はモニター４０の表示制御を行い、入力インターフェース２２は、キーボード４２及びマウス４４に対してなされたユーザの操作を信号に変換してコンテンツ再生装置１の本体部に出力する。
【００１６】
また、コンテンツ再生装置１には、カメラ５０、ビデオ５２、携帯電話５４等の機器が接続可能となっている。シリアルバスインターフェース２４は、コンテンツデータを送信可能なこれらの機器との通信を制御する。
【００１７】
また、コンテンツ再生装置１は、メモリカード６０、光ディスク６２等の記憶媒体が装着可能となっている。メモリカードスロット２６は、メモリカード６０が装着されるとメモリカード６０に記憶されたコンテンツデータを読み取る。光学ドライブ装置２８は、光ディスク６２が装着されると光ディスク６２に記憶されたコンテンツデータを読み取る。
【００１８】
通信インターフェース３０は、ネットワーク７０を介した他のコンピュータとの通信を制御する。ネットワーク７０は、インターネット、ＬＡＮ（Local  Area  Network）、無線ネットワーク等である。
【００１９】
ＣＰＵ１０が実行するプログラムは、メモリカード６０や光ディスク６２等の記憶媒体から取得してもよいし、通信インターフェース３０がネットワーク７０を介して他のコンピュータからダウンロードしてもよい。また、ＣＰＵ１０が実行するプログラムは、予めコンテンツ再生装置１の補助記憶装置１６やＲＯＭ等に格納されていてもよい。
【００２０】
シリアルバスインターフェース２４、メモリカードスロット２６、光学ドライブ装置２８、通信インターフェース３０により取得されるコンテンツデータは、例えば静止画像や動画像等の画像データである。以下、本実施例のコンテンツ再生装置１が再生するコンテンツデータは画像データであるものとして説明する。
【００２１】
画像データは、例えばカメラ５０、ビデオ５２、携帯電話５４等の機器において撮影等されたものが、シリアルバスインターフェース２４を介して入力され、ＨＤＤ１４に格納されるという流れで取得される。また、画像データは、例えばメモリカード６０に格納されたものが、メモリカードスロット２６によって読み取られ、ＨＤＤ１４に格納されるという流れで取得される。また、画像データは、例えば光ディスク６２に格納されたものが、光学ドライブ装置２８によって読み取られ、ＨＤＤ１４に格納されるという流れで取得される。また、画像データは、通信インターフェース３０がネットワーク７０を介して他のコンピュータから取得したものが、ＨＤＤ１４に格納されるという流れで取得される。
【００２２】
以下、画像データは、何らかの機器により撮影されたものであることを前提として説明する。
【００２３】
［論理構成］
図２は、コンテンツ再生装置１の論理構成例である。コンテンツ再生装置１は、ＣＰＵ１０がＨＤＤ１４等に格納されたプログラムを実行することにより機能する機能ブロックとして、再生リスト作成部１０Ａ、通知制御部１０Ｂ、再生リスト選択受付部１０Ｃ、抜粋処理・再生制御部１０Ｄを備える。なお、これらの機能ブロックが明確に分離したプログラムによって実現される必要はなく、サブルーチンや関数として他のプログラムによって呼び出されるものであってもよい。また、機能ブロックの一部が、ＬＳＩ（Large  Scale  Integrated  circuit）、ＩＣ（Integrated  Circuit）やＦＰＧＡ（Field  Programmable  Gate  Array）等のハードウエア手段であっても構わない。
【００２４】
特許請求の範囲における「抽出手段」は、例えば本実施例における再生リスト作成部１０Ａに対応する。特許請求の範囲における「再生制御手段」は、例えば本実施例における抜粋処理・再生制御部１０Ｄに対応する。
【００２５】
また、これらの機能ブロックは、ＨＤＤ１４等に格納された画像データベース１４Ａ、再生リスト一覧１４Ｂ、表示レイアウト情報１４Ｃ、作成・更新再生リスト名１４Ｄ、通知リスト１４Ｅを利用して処理を行う。
【００２６】
［全体フロー］
図３は、本実施例のコンテンツ再生装置１により実行される全体処理の流れを簡単に示すフローチャートの一例である。
【００２７】
まず、コンテンツ再生装置１は、画像データがＨＤＤ１４に格納されたか否かを判定する（Ｓ１００）。
【００２８】
画像データがＨＤＤ１４に格納されると、再生リスト作成部１０Ａが、ＨＤＤ１４上の画像データとタイミングテーブルから再生リスト一覧を作成し、ＨＤＤ１４に格納する（Ｓ１０２）。
【００２９】
次に、通知制御部１０Ｂが、未再生の再生リストに関する画像をグラフィックインターフェース２０経由でモニター４０に表示させる（Ｓ１０４）。再生リストに関する画像は、デスクトップ上のガジェットに例えばチケットの形式で表示される。
【００３０】
次に、再生リスト選択受付部１０Ｃが、ユーザが再生リストを選択するまで待機する（Ｓ１０６）。再生リスト選択受付部１０Ｃは、モニター４０に表示されたチケットに対する選択操作を検知すると、抜粋処理・再生制御部１０Ｄに処理を開始させる（Ｓ１０８）。
【００３１】
次に、抜粋処理・再生制御部１０Ｄが、選択された再生リストに対する抜粋処理等を行い、処理結果の画像をグラフィックインターフェース２０経由でモニター４０に表示させる（Ｓ１１０）。
【００３２】
［再生リスト一覧の作成・更新］
画像データベース１４Ａは、上記のように種々の経路から取得された画像データの集合である。図４は、画像データベース１４Ａとして格納されるデータの一例である。図示するように、各画像データはファイル名で特定され、撮影日付、撮影時刻等の情報が付与されている。図中、「picture」が静止画像を示し、「movie」は動画像を示す。また、画像データベース１４Ａは、ＧＰＳ（Global  Positioning  System）機能を有するカメラ等により撮影された場合は、撮影場所（座標）が更に付与されてもよい。
【００３３】
再生リスト一覧１４Ｂは、再生リスト作成部１０Ａによって画像データベースから所定の抽出条件に従って抽出された画像データ群を特定可能なデータテーブルである。図５は、再生リスト一覧１４Ｂとして格納されるデータの一例である。図示するように、再生リスト一覧１４Ｂは、複数の再生リスト名に対し、抽出条件、提示期間、対象画像リストが対応付けられたデータである。以下、再生リスト一覧１４Ｂのうち、再生リスト名、抽出条件、提示期間からなるものを、便宜的にタイミングテーブルと称する（図５参照）。
【００３４】
タイミングテーブルが規定する内容は、コンテンツ再生装置１の初期状態において、例えばＸＭＬファイルによって予め定義されている。図６は、再生リスト名毎の抽出条件と提示期間を規定したＸＭＬファイルを二つ例示した図である。当該ファイルにおいて、「Name」が再生リスト名を、「Picture  Condition」が抽出条件を、「View  Condition」が提示期間を、それぞれ示している。なお、タイミングテーブルは、このようなＸＭＬファイルによって定義されるのに限らず、テーブルデータとしてＨＤＤ１４等に格納されていてもよい。
【００３５】
再生リスト一覧１４Ｂ（タイミングテーブル）における再生リスト名は、各再生リストのテーマとなる題名である。再生リスト作成部１０Ａは、画像データベース１４Ａに格納された画像データのうち、撮影日付及び撮影時刻が抽出条件を満たす画像データのファイル名を、再生リスト一覧１４Ｂの対象画像リストの欄に追加する。
【００３６】
図７は、再生リスト一覧１４Ｂが新規に作成、或いは更新される際の処理の流れを示すフローチャートの一例である。本フローチャートは、再生リスト作成部１０Ａによって、例えばコンテンツ再生装置１の起動時、ＯＳの起動時、スタンバイ状態からの復帰時等に実行される。また、本フローチャートは、タイマー処理によって定期的に実行されてもよいし、画像や動画を取り込むアプリケーションから、取り込みが完了したことが通知された時点で開始されてもよい。
【００３７】
まず、再生リスト作成部１０Ａは、画像データベース１４Ａに対して新たに追加された画像データが存在するか否かを判定する（Ｓ２００）。画像データベース１４Ａに対して新たに追加された画像データが存在しない場合、再生リスト作成部１０Ａは、本フローチャートを終了する。
【００３８】
画像データベース１４Ａに対して新たに追加された画像データが存在する場合、再生リスト作成部１０Ａは、画像データベース１４Ａに対して新たに追加された画像データを「Update  List」に格納する（Ｓ２０２）。「Update  List」は、例えばＲＡＭ１２上に設定されるデータ領域である。なお、係る判定のために、既に本フローチャートにおいて処理された画像データであるか、まだ本フローチャートにおいて処理されていない画像データであるかを判別可能な情報が、画像データベース１４Ａにおける各画像データに付与されているものとする。
【００３９】
次に、再生リスト作成部１０Ａは、「Update  List」から画像データを一つ取り出し、画像データの撮影日時を取得する（Ｓ２０４）。
【００４０】
次に、再生リスト作成部１０Ａは、タイミングテーブルから抽出条件「Picture  Condition」を一つ取り出し（Ｓ２０６）、Ｓ２０４において取得された画像データの撮影日時が、Ｓ２０６において取り出した抽出条件に該当するか否かを判定する（Ｓ２０８）。
【００４１】
画像データの撮影日時が抽出条件に該当する場合、再生リスト作成部１０Ａは、再生リスト一覧１４Ｂにおける当該抽出条件に対応する再生リスト名の欄にＳ２０２で取り出した画像データを登録する（Ｓ２１０）。この際に、再生リスト作成部１０Ａは、画像データが新たに登録された再生リスト名を作成・更新再生リスト名１４ＤとしてＨＤＤ１４等に格納しておく（Ｓ２１２）。なお、再生リスト作成部１０Ａは、再生リスト名を作成・更新再生リスト名１４Ｄを登録するのに代えて、画像データが新たに登録された再生リスト名を判別可能な識別子を、再生リスト一覧１４Ｂに追加してもよい（以下同様とする）。更に、再生リスト作成部１０Ａは、作成・更新再生リスト名１４Ｄを更新したこと、或いは識別子を新たに付与したことを、通知制御部１０Ｂにソフトウエア割り込み等によって通知してもよい。
【００４２】
次に、再生リスト作成部１０Ａは、タイミングテーブルから全ての抽出条件を取り出したか否かを判定する（Ｓ２１４）。タイミングテーブルから全ての抽出条件を取り出していない場合、再生リスト作成部１０Ａは、Ｓ２０６に戻り、次の抽出条件を取り出す。
【００４３】
タイミングテーブルから全ての抽出条件を取り出した場合、再生リスト作成部１０Ａは、「Update  List」から全ての画像データを取り出したか否かを判定する（Ｓ２１６）。「Update  List」から全ての画像データを取り出していない場合、再生リスト作成部１０Ａは、Ｓ２０４に戻り、次の画像データを取り出す。
【００４４】
「Update  List」から全ての画像データを取り出した場合、再生リスト作成部１０Ａは、本フローチャートを終了する。
【００４５】
なお、再生リスト作成部１０Ａは、上記のような時期的な抽出条件に限らず、顔画像認識によって認識される人物を抽出条件とし、「友人」、「家族」等の再生リスト名に該当する画像データを抽出してもよい。この場合、再生リスト作成部１０Ａは、画像データに含まれる顔画像の特徴点（目の両端、鼻の先端、口の両端）等の顔全体における配置、各パーツの大きさ等についてマッチング処理を行い、マッチング率が閾値以上である場合に、同一人物であると判断する。友人や家族に該当する人物については、予め対比用の顔画像と名称を登録しておけばよい。
【００４６】
［通知制御］
以下、通知制御部１４Ｂによる処理について説明する。ここでは、再生リスト一覧１４Ｂにおける各再生リスト名に属する画像データ群を、必要に応じて「再生リスト」と表現する（図４参照）。特許請求の範囲における「条件充足コンテンツデータ」は、例えば上記再生リストに対応する。
【００４７】
通知制御部１４Ｂは、作成・更新再生リスト名１４Ｄに登録された再生リスト名に対応する再生リストのうち、抜粋処理・再生制御部１０Ｄにより未再生であり且つタイミングテーブルにおける提示期間に該当するものについて、ユーザに通知する制御を行う。再生リスト一覧１４Ｂ（タイミングテーブル）における提示期間「View  Condition」は、通知制御部１０Ｂが通知を行う期間を規定したものである。
【００４８】
図８は、通知制御部１４Ｂにより実行される処理の流れを示すフローチャートの一例である。本フローは、例えばコンテンツ再生装置１の起動時、ＯＳの起動時、スタンバイ状態からの復帰時等に実行される。また、本フローチャートは、例えば、再生リスト作成部１０Ａにより作成・更新再生リスト名１４Ｄの更新がなされたことを検知したとき、又は再生リスト作成部１０Ａから作成・更新再生リスト名１４Ｄを更新したことが通知されたときにも実行される。
【００４９】
通知制御部１４Ｂは、まず、作成・更新再生リスト名１４Ｄとして登録されている再生リスト名が存在するか否かを判定する（Ｓ３００）。作成・更新再生リスト名１４Ｄとして登録されている再生リスト名が存在しない場合、通知制御部１４Ｂは、本フローチャートを終了する。
【００５０】
作成・更新再生リスト名１４Ｄとして登録されている再生リスト名が存在する場合、通知制御部１４Ｂは、現在の日時を取得する（Ｓ３０２）。本ステップの処理は、例えばオペレーティングシステムが有するシステムコールのＡＰＩ等によって行うことができる。
【００５１】
次に、通知制御部１４Ｂは、作成・更新再生リスト名１４Ｄとして登録されている再生リスト名を一つ取り出す（Ｓ３０４）。
【００５２】
次に、通知制御部１４Ｂは、Ｓ３０２において取得した現在の日時が、Ｓ３０４において取り出した再生リスト名に対応する提示期間に該当するか否かを判定する（Ｓ３０６）。
【００５３】
現在の日時が提示期間に該当する場合、通知制御部１４Ｂは、通知リスト１４Ｅに登録された再生リスト名の数が上限値（例えば十個程度）に達しているか否かを判定する（Ｓ３０８）。通知制御部１４Ｂは、通知リスト１４Ｅに登録された再生リスト名の数が上限値に達している場合、通知リスト１４Ｅに登録された再生リスト名のうち、最も古い再生リスト名を削除する（Ｓ３１０）。そして、通知制御部１４Ｂは、Ｓ３０４において取り出された再生リスト名を通知リスト１４Ｅに登録する（Ｓ３１２）。
【００５４】
ここで、Ｓ３１０において古い再生リスト名を削除する際には、ユーザへの特段の通知は行わないものとする。これは、システムが自動的に作成する通知リストであること、ユーザが特に興味を持たなかったために残っている再生リスト名であること等に鑑み、削除の度にユーザに通知することによる煩雑な印象を避けるためである。また、自動的に古い再生リスト名を削除することにより、ユーザは、興味を持たなかった再生リスト名を手動で削除するといった煩雑な操作を行う必要が無くなる。
【００５５】
次に、通知制御部１４Ｂは、作成・更新再生リスト名１４Ｄとして登録されている再生リスト名の全てについて処理を実行したか否かを判定する（Ｓ３１４）。作成・更新再生リスト名１４Ｄとして登録されている再生リスト名の全てについて処理を実行していない場合、通知制御部１４Ｂは、Ｓ３０４に戻り次の再生リスト名を一つ取り出す。
【００５６】
作成・更新再生リスト名１４Ｄとして登録されている再生リスト名の全てについて処理を実行すると、通知制御部１４Ｂは、通知リスト１４Ｅに登録された再生リスト名に対応する再生リストを示す情報を、モニター４０に表示させてユーザに通知する（Ｓ３１６）。再生リストを示す情報は、例えばガジェットやポップアップ等の画像領域として表示され、ユーザが当該画像領域をマウス４４でクリック（又はタッチ操作）することにより、当該再生リストの再生が開始される。ユーザによる画像領域のクリック又はタッチ操作は、再生リスト選択受付部１０Ｃによって検知され、抜粋処理・再生制御部１０Ｄに伝達される。
【００５７】
なお、通知リスト１４Ｅは、独立したデータであるものとして説明したが、作成・更新再生リスト名１４Ｄと同様、再生リスト一覧１４Ａに識別子が付与されることによって実現されてもよい。
【００５８】
「再生リストを示す情報」は、再生リストの再生がミュージアムに擬した形態で行われる場合、当該ミュージアムのチケットの形態で表示すると好適である。以下、この再生リストを示す情報であって、再生リストの再生可能を指示できる画像領域を、単に「チケット」と称する。
【００５９】
図９及び図１０は、モニター４０のデスクトップ画面上にチケット４０Ａが表示される様子を示す図である。図示するように、各チケット４０Ａ＿１〜４０Ａ＿３のデザインにおいては、例えば、チケットが表す再生リストから選択された画像データと、再生リスト名が表示される。チケットに表示される画像データは、例えば再生リストからランダムに選択される。
【００６０】
また、通知リスト１４Ｅに登録された再生リスト名の数を十個と例示したのに対し、チケット４０Ａは例えば最新のものが三個表示されているが、ユーザが矢印ボタン４０Ｂや４０Ｃをクリックすることによって、再生リストを順次表側に表示させることができる。
【００６１】
このように、チケットの表示数を制限することで、デスクトップ上におけるチケットの一枚一枚の視認性を損なわず、ある程度の枚数があることをユーザに通知することができる。また、前述のように通知リスト１４Ｅに登録された再生リスト名の数を制限することにより、ユーザのスクロール操作が煩雑となることを抑制することができる。矢印ボタン４０Ｂ、４０Ｃは、チケット４０Ａを含むガジェット上にマウス４４を持っていくとポップアップするように制御されてもよい。
【００６２】
また、新たに追加されたチケットは、チケット部分に「New」などのアイコンを表示して新規であることを示すと好適である。また、新たにチケットが追加されたときに、ガジェットから通知のバルーンメッセージが表示されてもよい。
【００６３】
図５に示すように、再生リストの性質毎に、抽出条件や提示期間を設定することにより、ユーザの利用シーンにより適応することができる。
【００６４】
例えば、ゴールデンウィークの画像を集めた画像リストの場合、提示期間をゴールデンウィークが始まる２週間前の４月１５日からゴールデンウィークが終了する５月５日の間とし、抽出条件を４月２９日から５月５日までとする。この条件により、過去のゴールデンウィーク中に撮影した画像が２週間前に提示され、ユーザは去年や一昨年にどこに旅行へ行ったかを振り返ることや、今年の旅行計画へとつながるシーンの演出ができる。別の例として、秋の画像を集めた再生リストの場合、提示期間を９月１日から１１月３０日までにし、抽出条件も同様に９月１日から１１月３０日までにする。提示期間と抽出条件を同じにすることで、秋の季節に過去の秋に撮影した画像が表示されるようにできユーザが季節を感じることができる。
【００６５】
ここで、図５に示す「早朝」のように、提示期間が制限されていない再生リストについては、例えば一年中チケットが表示され得るが、通知制御部１４Ｂは、この種の再生リストについては、例えば一週間に一日だけチケットを表示する等してもよい。
【００６６】
なお、未再生の再生リストが何日も同じ画像で表示されると、ユーザにとって目新しさが無くなり、再生意欲を喚起できないため、以下のように更新タイミングでチケットの画像を更新してもよい。図１１は、通知制御部１４Ｂにより実行されるチケット画像更新処理の流れを示すフローチャートの一例である。
【００６７】
通知制御部１４Ｂは、更新タイミングが到来したか否かを判定する（Ｓ４００）。更新タイミングは、例えば１日に１回、数日に１回等、任意に定めることができる。
【００６８】
更新タイミングが到来すると。通知制御部１４Ｂは、現在通知リスト１４Ｅに登録されている再生リストに関して、チケットの画像を変更する（Ｓ４０２）。
【００６９】
係る処理によって、通知リスト１４Ｅが更新されたタイミングのみならず、日付が変わったタイミング等で、通知リスト１４Ｅに登録されている再生リストのチケットの画像が更新されるため、ユーザの再生意欲を喚起することができる。
【００７０】
以上説明した再生リスト一覧の作成・更新、及び通知制御に係る処理によって、未再生の再生リストのうち、提示期間に該当する再生リストに関するチケットが表示される。この結果、ユーザにコンテンツ（画像）再生の機会を積極的に提供することができる。
【００７１】
［再生制御］
いずれかのチケットをクリック又はタッチ操作することによりユーザが再生リストを選択すると、再生リスト選択受付部１０Ｃがこれを検知し、チケットに対応する再生リストを抜粋処理・再生制御部１０Ｄに再生させる。
【００７２】
図１２は、再生リスト選択受付部１０Ｃにより実行される処理の流れを示すフローチャートの一例である。
【００７３】
まず、再生リスト選択受付部１０Ｃは、ユーザによりいずれかの再生リストが選択されるまで待機する（Ｓ５００）。この待機状態において再生リスト選択受付部１０Ｃは、ポーリングを行ってもよいし、入力インターフェース２２等から割り込み通知を受けるまで待機してもよい。
【００７４】
ユーザによりいずれかの再生リストが選択されると、再生リスト選択受付部１０Ｃは、該当する再生リストを抜粋処理・再生制御部１０Ｄに再生させる（Ｓ５０２）。
【００７５】
次に、再生リスト選択受付部１０Ｃは、選択された再生リストを作成・更新再生リスト名１４Ｄ及び通知リスト１４Ｅから削除すると共に、該当するチケットの表示を停止させる（Ｓ５０４）。これによって、以降、該当する再生リストについてチケットの表示が行われなくなる。
【００７６】
抜粋処理・再生制御部１０Ｄは、再生リスト選択受付部１０Ｃからの指示によって、再生リストを例えばスライドショーの形式で再生する。抜粋処理・再生制御部１０Ｄは、表示レイアウト情報１４Ｃを参照してスライドショーの再生を制御する。
【００７７】
図１３は、表示レイアウト情報１４Ｃの一例である。表示レイアウト情報１４Ｃは、再生リスト毎に、その再生リストを表示する際に用いるレイアウトの情報を記述する。また、表示レイアウト情報１４Ｃは、例えば、再生リスト名と、その再生リストを表示する際の１ページあたりの画像の枚数、ページに表示する単位（表示単位）、画像を抜粋する際の抜粋方法、ページへの配置情報、ページの背景画像の情報等を含む。
【００７８】
スライドショー表示は、モニター４０により行われる。各画像はサムネイル形式になっており画面上に時系列順に複数枚配置される。これにより、ユーザは一度に複数枚の画像を楽しむことができ、画像を撮影した際の思い出を時間軸で振り返ることができる。また複数ページの構成になっており、抜粋処理・再生制御部１０Ｄが抜粋した画像が表示レイアウト情報１４Ｃに従って表示される。
【００７９】
抜粋処理・再生制御部１０Ｄは、例えば再生リスト名が「お正月」であれば、表示単位が年単位となっているため、２００５年のお正月画像→２００６年のお正月画像→２００７年のお正月画像の順で表示されるようにスライドショー表示を行う。これにより、年毎での出来事をまとまった形で提示でき、思い出として振り返りやすくなる。スライドショーにおける画像の枚数は、例えば６枚である。
【００８０】
このように、表示レイアウト情報１４Ｃを用いることで、リスト毎に意味のある単位で画像を見せることができる。
【００８１】
再生リスト名が「お正月」である場合、抜粋処理・再生制御部１０Ｄは、再生リストに含まれる画像を年でソートし、各年から６枚画像を抜粋する。抜粋方法は、表示レイアウト情報１４Ｃにより規定されている。
【００８２】
また、抜粋処理・再生制御部１０Ｄは、再生リスト名が「早朝」である場合、再生リストに含まれる画像を時間順にソートし、各時間から６枚画像を抜粋する。同様に、抜粋処理・再生制御部１０Ｄは、再生リスト名が「夏の夜」であれば、対象画像リストにある画像を月でソートし、各月から６枚画像を抜粋する。
【００８３】
さらに抜粋方法について説明する。表示リスト名が「お正月」である場合、抜粋方法はランダムに設定される。
【００８４】
一方、「ゴールデンウィーク」のようなイベントでは画像の数が多くなる傾向にあり、似たような内容が連続して記録されることが多い。この場合、ランダムで画像を抜粋した場合、連写して撮影した画像が連続して表示されてしまう可能性があり、好ましくない。また、連写した場合にはそのシーンの画像の枚数が相対的に増えることになり、ランダムに抜粋した場合、連写したシーンのうち複数が選ばれる可能性が高くなる。そこで、その期間に撮影した画像を一定以上の間隔を空けて抜粋していくことでイベント中の出来事を時系列に見やすく振り返ることができるという考察に基づき、「ゴールデンウィーク」については一時間間隔の抜粋を行うように規定する。
【００８５】
また、「秋の画像」を集めた再生リストの場合のように、抽出条件が３ヶ月と長期に渡る場合、ランダムや等間隔で画像を抜粋すると、画像をあまり撮影していない日の画像も表示されてしまうことがある。そこで、抽出条件が３ヶ月と長期に渡る場合には、抽出条件期間内で撮影した画像数順に日付をソートし、撮影画像数が多い日から画像を抜粋する。これにより、抽出条件期間内において画像をもっとも多く撮影した日から抜粋されることになり、その期間の特別な日を詳しく思い出すことができる。
【００８６】
図１４は、抜粋処理・再生制御部１０Ｄにより実行される処理の流れを示すフローチャートの一例である。本フローチャートは、再生リスト選択受付部１０Ｃの指示によって開始される。
【００８７】
まず、抜粋処理・再生制御部１０Ｄは、ユーザによって選択された再生リストに含まれる画像データを取得し、「List」としてＨＤＤ１４等に格納する（Ｓ６００）。
【００８８】
次に、抜粋処理・再生制御部１０Ｄは、表示レイアウト情報１４Ｃから該当する再生リストの表示単位情報を取得する（Ｓ６０２）。
【００８９】
次に、抜粋処理・再生制御部１０Ｄは、ユーザによって選択された再生リストの抽出条件と表示単位情報に基づき、表示単位のリスト「present  List」を作成する（Ｓ６０４）。
【００９０】
「present  List」の作成について説明する。「present  List」の作成手法は、表示単位が年単位の場合、時間単位の場合、月単位の場合で処理が異なる。再生リスト名が「お正月」の場合、抽出条件は「１／１−１／７」、表示単位は「年単位」であるため、年のリストを作成する。これは例えば、対象画像リストに含まれる画像を撮影日時順にソートし、その一番古い画像と一番新しい画像の間の年のリストを作ればよい。一番古い画像が２００３年、一番新しい画像が２０１１年のものであれば、年のリストは、「２００３年、２００４年、２００５年、・・・２０１０年、２０１１年」となる。また、再生リストが「ゴールデンウィーク」の場合や「秋」の場合も、表示単位が「年単位」であるため、「お正月」と同様の手順で年のリストを作成する。
【００９１】
一方、再生リストが「早朝」の場合は、抽出条件は「４：００：００−６：５９：５９」、表示単位は「時間単位」であるため、時間のリストを作成する。この場合、抽出条件に時間の限定が入っているため、先の年のリストとは異なり、特に対象画像リストに含まれる画像を調べる必要はなく、時間のリストは「４時、５時、６時」となる。
【００９２】
また、再生リストが「夏の夜」の場合は、抽出条件は「６／１−８／３１かつ１７：００：００−２３：５９：５９」、表示単位は「月単位」であるため、月のリストを作成する。この場合も、抽出条件に限定が入っているため、対象画像リストの画像を調べる必要はなく、月のリストは「６月、７月、８月」となる。
【００９３】
次に、抜粋処理・再生制御部１０Ｄは、「list」内の画像を一つ取り出し、「present  List」のうち撮影日時が該当するものに追加する（Ｓ６０６）。例えば、表示単位のリストが年のリストの場合、抜粋処理・再生制御部１０Ｄは、画像の撮影年に基づき画像を振り分ける。また、表示単位のリストが時間のリストの場合、抜粋処理・再生制御部１０Ｄは、画像の撮影時間に基づき画像を振り分ける。また、表示単位のリストが月のリストの場合、抜粋処理・再生制御部１０Ｄは、画像の撮影日時のうち撮影月の部分に基づき画像を振り分ける。
【００９４】
次に、抜粋処理・再生制御部１０Ｄは、「list」内の全ての画像について処理を行ったかを判定する（Ｓ６０８）。「list」内の全ての画像について処理を行っていない場合、抜粋処理・再生制御部１０Ｄは、Ｓ６０６に戻り「list」内の次の画像を一つ取り出す。
【００９５】
「list」内の全ての画像について処理を行った場合、抜粋処理・再生制御部１０Ｄは、表示レイアウト情報１４Ｃを参照し、１ページに表示する画像の枚数を取得する（Ｓ６１０）。
【００９６】
次に、抜粋処理・再生制御部１０Ｄは、「present  List」を構成する各リストからリストを一つ取り出し、表示レイアウト情報１４Ｃの抜粋方法の情報に従って、１ページあたりの表示枚数分だけ画像を抜粋する（Ｓ６１２）。各リストとは、例えば年のリストであれば、２００３年、２００４年、２００５年、・・・２０１０年、２０１１年のそれぞれを意味する。
【００９７】
次に、抜粋処理・再生制御部１０Ｄは、全てのリストについて処理を行ったか否かを判定する（Ｓ６１４）。全てのリストについて処理を行っていない場合、抜粋処理・再生制御部１０Ｄは、Ｓ６１２に戻り次のリストを取り出して処理を行う。
【００９８】
全てのリストについて処理を行った場合、抜粋処理・再生制御部１０Ｄは、本フローチャートの処理を終了する。
【００９９】
以下、抜粋方法に応じた処理について説明する。図１５は、画像の抜粋方法が「ランダム」の場合に抜粋処理・再生制御部１０Ｄにより実行される処理の流れを示すフローチャートの一例である。例えば「お正月」「早朝」のリストの場合、抜粋方法は「ランダム」であるため、各表示単位のリスト中の画像がランダムに選択される。抜粋処理・再生制御部１０Ｄは、「お正月」の場合は「２００３年、２００４年、２００５年、・・・２０１０年、２０１１年」の各年に含まれる画像について、画像表示数の６枚を、ランダムに選択する。また、抜粋処理・再生制御部１０Ｄは、「早朝」の場合は「４時、５時、６時」の各時間帯に含まれる画像について、画像表示数の６枚を、ランダムに選択する。
【０１００】
まず、抜粋処理・再生制御部１０Ｄは、抜粋する画像の枚数「num」を取得する（Ｓ７００）。
【０１０１】
次に、抜粋処理・再生制御部１０Ｄは、対象画像のリスト「list2」を一つ取得する（Ｓ７０２）。対象画像のリスト「list2」は、図１４のフローチャートにおける「present  List」を構成する各リストを指す。
【０１０２】
次に、抜粋処理・再生制御部１０Ｄは、「list2」内の画像から、ランダムに画像を選択して「list3」に追加し（Ｓ７０４）、「list2」から選択した画像を削除する（Ｓ７０６）。
【０１０３】
次に、抜粋処理・再生制御部１０Ｄは、抜粋した枚数が「num」に到達したか否かを判定する（Ｓ７０８）。抜粋した枚数が「num」に到達していない場合、抜粋処理・再生制御部１０Ｄは、Ｓ７０４に戻り画像の抜粋を行う。
【０１０４】
抜粋した枚数が「num」に到達した場合、抜粋処理・再生制御部１０Ｄは、全ての「list2」について処理を行ったか否かを判定する（Ｓ７１０）。全ての「list2」について処理を行っていない場合、抜粋処理・再生制御部１０Ｄは、Ｓ７０２に戻り次の「list2」を取得する。
【０１０５】
全ての「list2」について処理を行った場合、抜粋処理・再生制御部１０Ｄは、本フローチャートの処理を終了する。
【０１０６】
図１６は、画像の抜粋方法が「一定間隔の抜粋」の場合に抜粋処理・再生制御部１０Ｄにより実行される処理の流れを示すフローチャートの一例である。例えば「ゴールデンウィーク」のリストの場合、抜粋方法は「一時間間隔の抜粋」のため、各表示単位のリスト中の画像が一時間以上の間隔になるように選択される。
【０１０７】
まず、抜粋処理・再生制御部１０Ｄは、抜粋する画像の枚数「num」を取得する（Ｓ８００）。
【０１０８】
次に、抜粋処理・再生制御部１０Ｄは、対象画像のリスト「list2」を一つ取得し、撮影日時順にソートする（Ｓ８０２）。
【０１０９】
次に、抜粋処理・再生制御部１０Ｄは、「list2」内の画像から、最も古い画像から一時間以上間隔を空けて複数の画像を選択し（Ｓ８０４）、選択した画像以外の画像を「list2」から削除する（Ｓ８０６）。
【０１１０】
Ｓ８０４においては、「list2」内の画像は撮影日時順にソートされているため、先頭から順次撮影日時を調べていけばよい。一時間以上間隔があいた画像があれば、それを「list2」に残し、それ以前の画像は「list2」から削除する。そして、残した画像の撮影日時から、また一時間以上撮影日時が空いているものを先頭から順に調べていき、同様にlist2から削除したり残したりしていく。最後まで処理すると、list2内の画像は、すべて撮影日時が一時間以上空いたものだけとなる。
【０１１１】
次に、抜粋処理・再生制御部１０Ｄは、「list2」内の画像からランダムに画像を一つ選択し、「list3」に格納する（Ｓ８０８）。
【０１１２】
次に、抜粋処理・再生制御部１０Ｄは、選択した枚数が「num」に到達したか否かを判定する（Ｓ８１０）。抜粋した枚数が「num」に到達していない場合、抜粋処理・再生制御部１０Ｄは、Ｓ８０８に戻り画像の抜粋を行う。
【０１１３】
抜粋した枚数が「num」に到達した場合、抜粋処理・再生制御部１０Ｄは、全ての「list2」について処理を行ったか否かを判定する（Ｓ８１２）。全ての「list2」について処理を行っていない場合、抜粋処理・再生制御部１０Ｄは、Ｓ８０２に戻り次の「list2」を取得する。
【０１１４】
全ての「list2」について処理を行った場合、抜粋処理・再生制御部１０Ｄは、本フローチャートの処理を終了する。
【０１１５】
図１７は、画像の抜粋方法が「保存されている画像の数が多い日から優先して抜粋」の場合に抜粋処理・再生制御部１０Ｄにより実行される処理の流れを示すフローチャートの一例である。例えば「秋」「夏の夜」のリストの場合、抜粋方法は「保存されている画像の数が多い日から優先して抜粋」のため、各表示単位のリスト中の画像が一時間以上の間隔になるように選択される。
【０１１６】
まず、抜粋処理・再生制御部１０Ｄは、抜粋する画像の枚数「num」を取得する（Ｓ９００）。
【０１１７】
次に、抜粋処理・再生制御部１０Ｄは、対象画像のリスト「list2」を一つ取得し、撮影日毎にグループ分けする（Ｓ９０２）。
【０１１８】
次に、抜粋処理・再生制御部１０Ｄは、撮影日の中で最も撮影枚数が多い撮影日を選択し、「max  Date」とする（Ｓ９０４）。本ステップにおいて、抜粋処理・再生制御部１０Ｄは、「list2」の先頭から画像を取得し、撮影日の情報を参照し、該当する撮影日のカウントを１増やす。抜粋処理・再生制御部１０Ｄは、「list2」を最後まで処理すると、撮影日ごとのカウントが決定するので、そのカウントの中で一番大きいものを探し、該当する撮影日を「max  Date」とする。
【０１１９】
次に、抜粋処理・再生制御部１０Ｄは、「list2」に含まれる画像のうち、撮影日が「max  Date」でないものを削除する（Ｓ９０６）。
【０１２０】
次に、抜粋処理・再生制御部１０Ｄは、「list2」内の画像からランダムに画像を一つ選択し、「list3」に格納すると共に、選択した画像を「list2」から削除する（Ｓ９０８）。
【０１２１】
次に、抜粋処理・再生制御部１０Ｄは、選択した枚数が「num」に到達したか否かを判定する（Ｓ９１０）。選択した枚数が「num」に到達していない場合、抜粋処理・再生制御部１０Ｄは、Ｓ９０８に戻り画像の抜粋を行う。
【０１２２】
抜粋した枚数が「num」に到達した場合、抜粋処理・再生制御部１０Ｄは、全ての「list2」について処理を行ったか否かを判定する（Ｓ９１２）。全ての「list2」について処理を行っていない場合、抜粋処理・再生制御部１０Ｄは、Ｓ９０２に戻り次の「list2」を取得する。
【０１２３】
全ての「list2」について処理を行った場合、抜粋処理・再生制御部１０Ｄは、本フローチャートの処理を終了する。
【０１２４】
抜粋処理・再生制御部１０Ｄは、図１４の処理、及び図１５〜１７のいずれかの処理によって画像の抜粋が終了すると、抜粋した画像を表示する処理を行う。
【０１２５】
抜粋処理・再生制御部１０Ｄは、抜粋した「list3」を取得し、撮影日時順にソートし、表示レイアウト情報に従って画像を配置する。画像の配置は、配置情報に従って行う。抜粋処理・再生制御部１０Ｄは、ソート順に画像番号を割り当て、その該当する画像番号の表示されるページ、位置に配置する。
【０１２６】
［まとめ］
以上説明した本実施例のコンテンツ再生装置等によれば、抜粋処理・再生制御部１０Ｄにより再生されていない再生リストに関するチケットをモニター４０に表示するため、ユーザにコンテンツ再生の機会を積極的に提供することができる。
【０１２７】
また、本実施例のコンテンツ再生装置等によれば、提示期間に該当する未再生の再生リストに絞ってチケットをモニター４０に表示するため、季節感のあるコンテンツをユーザに提供することができる。
【０１２８】
また、本実施例のコンテンツ再生装置等によれば、チケットの形態で未再生の再生リストをユーザに通知するため、コンテンツ再生の意欲を喚起することができる。
【０１２９】
また、本実施例のコンテンツ再生装置等によれば、チケットの表示枚数や未再生の再生リストの数に上限を設けているため、ユーザが再生リストを選択する際の煩わしさを軽減することができる。
【０１３０】
また、本実施例のコンテンツ再生装置等によれば、抽出条件が時期的条件である場合に、時期的条件よりも狭い範囲でスライドショーの表示単位を決定するため、意味のある単位で画像を提供することができる。
【０１３１】
また、本実施例のコンテンツ再生装置等によれば、表示単位に該当する画像を更に抜粋してスライドショーの１ページを表示するため、適度な数の画像を一度に表示することができる。
【０１３２】
また、本実施例のコンテンツ再生装置等によれば、上記抜粋を行う際に、抽出条件に対応した抜粋規則で抜粋を行うため、無条件に抜粋を行うものに比して、ユーザとって分かりやすい画像を一度に表示することができる。
【０１３３】
以上より、本実施例のコンテンツ再生装置等によれば、コンテンツ再生の新しい楽しさを提供することができる。
【０１３４】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１３５】
例えば、コンテンツ再生装置等により再生されるコンテンツは撮影された画像であるものとしたが、グラフィック画像、音楽その他のコンテンツであってもよい。この場合、「撮影日時」を「作成日時」とすればよい。
【０１３６】
また、通知制御部１４Ｂは、通知リスト１４Ｅに登録された再生リスト名の数が上限値に達している場合、通知リスト１４Ｅに登録された再生リスト名のうち、最も古い再生リスト名を削除するものとしたが、上限値を定めずに全部を通知対象としてもよい。
【０１３７】
以上の説明に関し、さらに以下の項を開示する。
（付記１）
コンテンツデータを再生可能な再生手段に接続されるコンテンツ再生装置であって、
コンテンツデータが格納される記憶手段と、
前記記憶手段に格納されたコンテンツデータから所定の抽出条件を満たす条件充足コンテンツデータを抽出し、該抽出した条件充足コンテンツデータを特定可能な情報を前記記憶手段に格納する抽出手段と、
前記記憶手段に格納されたコンテンツデータを、前記条件充足コンテンツデータ単位で前記再生手段に再生させる再生制御手段と、
前記再生制御手段により再生されていない未再生の条件充足コンテンツデータが存在するか否かを判定し、該未再生の条件充足コンテンツデータが存在する場合に、該未再生の条件充足コンテンツデータに関して通知手段に通知させる通知制御手段と、
を備えるコンテンツ再生装置。
（付記２）
前記通知制御手段は、前記未再生の条件充足コンテンツデータのうち、前記所定の抽出条件に対応した提示期間に該当する未再生の条件充足コンテンツデータが存在するか否かを判定し、該提示期間に該当する未再生の条件充足コンテンツデータが存在する場合に、該提示期間に該当する未再生の条件充足コンテンツデータに関して前記通知手段に通知させる手段である、
付記１記載のコンテンツ再生装置。
（付記３）
前記通知手段は表示手段であり、
前記通知制御手段は、前記未再生の条件充足コンテンツデータが存在する場合に、前記未再生の条件充足コンテンツデータの再生を開始させるための画像領域を前記表示手段に表示させる手段である、
付記１又は２記載のコンテンツ再生装置。
（付記４）
前記通知制御手段は、前記未再生の条件充足コンテンツデータの数に上限を設定し、該上限以内の未再生の条件充足コンテンツデータの一部に関する画像領域を前記表示手段に表示させ、スクロール操作によって前記上限以内の未再生の条件充足コンテンツデータの全てをユーザに閲覧可能とすることを特徴とする、
付記３記載のコンテンツ再生装置。
（付記５）
前記コンテンツデータは、撮影された画像データであり、
前記所定の抽出条件は、前記画像データの撮影された時期に関する条件である、
付記１ないし４のいずれか１項記載のコンテンツ再生装置。
（付記６）
前記再生手段は表示手段であり、
前記再生制御手段は、前記条件充足コンテンツデータをスライドショーの形式で前記表示手段に表示させると共に、該スライドショーの各ページにおいて、前記所定の抽出条件よりも狭い時期に関する条件で抽出された画像を前記表示手段に表示させることを特徴とする、
付記５記載のコンテンツ再生装置。
（付記７）
前記所定の抽出条件よりも狭い時期に関する条件は、時期的に近い画像が同じページで表示されるように設定された条件である、
付記６記載のコンテンツ再生装置。
（付記８）
前記再生制御手段は、前記スライドショーの各ページにおいて、前記所定の抽出条件よりも狭い時期に関する条件で抽出された画像のうち、前記所定の抽出条件に対応した抜粋規則で抜粋した画像を前記表示手段に表示させることを特徴とする、
付記６又は７記載のコンテンツ再生装置。
（付記９）
コンテンツデータを再生可能な再生手段に接続されたコンピュータに、
記憶手段に格納されたコンテンツデータから所定の抽出条件を満たす条件充足コンテンツデータを抽出し、該抽出した条件充足コンテンツデータを特定可能な情報を前記記憶手段に格納させ、
前記記憶手段に格納されたコンテンツデータを、前記条件充足コンテンツデータ単位で前記再生手段に再生させ、
前記再生させる処理によって再生されていない未再生の条件充足コンテンツデータが存在するか否かを判定し、該未再生の条件充足コンテンツデータが存在する場合に、該未再生の条件充足コンテンツデータに関して通知手段に通知させることを特徴とする、コンテンツ再生プログラム。
（付記１０）
前記通知手段に通知させる処理は、前記未再生の条件充足コンテンツデータのうち、前記所定の抽出条件に対応した提示期間に該当する未再生の条件充足コンテンツデータが存在するか否かを判定し、該提示期間に該当する未再生の条件充足コンテンツデータが存在する場合に、該提示期間に該当する未再生の条件充足コンテンツデータに関して前記通知手段に通知させる処理である、
付記９記載のコンテンツ再生プログラム。
（付記１１）
前記通知手段は表示手段であり、
前記通知手段に通知させる処理は、前記未再生の条件充足コンテンツデータが存在する場合に、前記未再生の条件充足コンテンツデータの再生を開始させるための画像領域を前記表示手段に表示させる処理である、
付記９又は１０記載のコンテンツ再生プログラム。
（付記１２）
前記通知手段に通知させる処理は、前記未再生の条件充足コンテンツデータの数に上限を設定し、該上限以内の未再生の条件充足コンテンツデータの一部に関する画像領域を前記表示手段に表示させ、スクロール操作によって前記上限以内の未再生の条件充足コンテンツデータの全てをユーザに閲覧可能とする処理を含む、
付記１１記載のコンテンツ再生プログラム。
（付記１３）
前記コンテンツデータは、撮影された画像データであり、
前記所定の抽出条件は、前記画像データの撮影された時期に関する条件である、
付記９ないし１２のいずれか１項記載のコンテンツ再生プログラム。
（付記１４）
前記再生手段は表示手段であり、
前記再生手段に再生させる処理は、前記条件充足コンテンツデータをスライドショーの形式で前記表示手段に表示させると共に、該スライドショーの各ページにおいて、前記所定の抽出条件よりも狭い時期に関する条件で抽出された画像を前記表示手段に表示させる処理である、
付記１３記載のコンテンツ再生装置プログラム。
（付記１５）
前記所定の抽出条件よりも狭い時期に関する条件は、時期的に近い画像が同じページで表示されるように設定された条件である、
付記１４記載のコンテンツ再生装置プログラム。
（付記１６）
前記再生手段に再生させる処理は、前記スライドショーの各ページにおいて、前記所定の抽出条件よりも狭い時期に関する条件で抽出された画像のうち、前記所定の抽出条件に対応した抜粋規則で抜粋した画像を前記表示手段に表示させる処理である、
付記１４又は１５記載のコンテンツ再生プログラム。
（付記１７）
コンテンツデータを再生可能な再生手段に接続されたコンピュータが、
記憶手段に格納されたコンテンツデータから所定の抽出条件を満たす条件充足コンテンツデータを抽出し、該抽出した条件充足コンテンツデータを特定可能な情報を前記記憶手段に格納し、
前記記憶手段に格納されたコンテンツデータを、前記条件充足コンテンツデータ単位で前記再生手段に再生させ、
前記再生させる処理によって再生されていない未再生の条件充足コンテンツデータが存在するか否かを判定し、該未再生の条件充足コンテンツデータが存在する場合に、該未再生の条件充足コンテンツデータに関して通知手段に通知させることを特徴とする、コンテンツ再生方法。
【符号の説明】
【０１３８】
１      コンテンツ再生装置
１０    ＣＰＵ
１０Ａ  再生リスト作成部
１０Ｂ  通知制御部
１０Ｃ  再生リスト選択受付部
１０Ｄ  抜粋処理・再生制御部
１２    ＲＡＭ
１４    ＨＤＤ
１４Ａ  画像データベース
１４Ｂ  再生リスト一覧
１４Ｃ  表示レイアウト情報
１４Ｄ  作成・更新再生リスト名
１４Ｅ  通知リスト
２０    グラフィックインターフェース
２２    入力インターフェース
２４    シリアルバスインターフェース
２６    メモリカードスロット
２８    光学ドライブ装置
３０    通信インターフェース
４０    モニター
４０Ａ  チケット
４０Ｂ、４０Ｃ  矢印ボタン
５０    カメラ
５２    ビデオ
５４    携帯電話
６０    メモリカード
６２    光ディスク
７０    ネットワーク
【図１】
0005810920.tif 000002
【図２】
0005810920.tif 000003
【図３】
0005810920.tif 000004
【図４】
0005810920.tif 000005
【図５】
0005810920.tif 000006
【図６】
0005810920.tif 000007
【図７】
0005810920.tif 000008
【図８】
0005810920.tif 000009
【図９】
0005810920.tif 000010
【図１０】
0005810920.tif 000011
【図１１】
0005810920.tif 000012
【図１２】
0005810920.tif 000013
【図１３】
0005810920.tif 000014
【図１４】
0005810920.tif 000015
【図１５】
0005810920.tif 000016
【図１６】
0005810920.tif 000017
【図１７】
0005810920.tif 000018